【事件の表示】
　特許第４３２９５８３号に関する訂正審判事件について、次のとおり審決する。
【結　論】
　特許第４３２９５８３号に係る明細書及び図面を本件審判請求書に添付された訂正明細書及び図面のとおり訂正することを認める。
【理　由】
１．請求の要旨
　本件審判の請求の要旨は、特許第４３２９５８３号（平成１６年３月１７日特許出願、平成２１年６月２６日設定登録）に係る明細書及び特許請求の範囲を、審判請求書に添付した訂正特許請求の範囲及び訂正明細書のとおり訂正することを求めるものである。
　
２．訂正の内容
　本件訂正審判に係る訂正（以下、「本件訂正」という。）は、以下の訂正事項１ないし２１からなる。
　
　ａ．訂正事項１
　　請求項４の「前記組成に加えてさらに、mass％で、Cr：３％以下、Mo：１％以、V：0.3％以下、Nb：0.1％以下、B：0.01％以下のうちから選ばれた１種または２種以上を含有することを特徴とする請求項２または３に記載の低降伏比圧延H形鋼。」から「Cr：３％以下、Mo：１％以下、」を削除し、請求項４を「前記組成に加えてさらに、mass％で、V：0.3％以下、Nb：0.1％以下、B：0.01％以下のうちから選ばれた１種または２種以上を含有することを特徴とする請求項２または３に記載の低降伏比圧延H形鋼。」と訂正する。
　ｂ．訂正事項２
　　請求項５の「前記組成に加えてさらに、mass％で、Ti：0.1％以下、Ca：0.1％以下、Mg：0.1％以下、Zr：0.1％以下、Hf：0.1％以下、REM：0.1％以下のうちから選ばれた１種または２種以上を含有することを特徴とする請求項２ないし４のいずれかに記載の低降伏比圧延形鋼。」から「Hf：0.1％以下、」を削除し、請求項５を「前記組成に加えてさらに、mass％で、Ti：0.1％以下、Ca：0.1％以下、Mg：0.1％以下、Zr：0.1％以下、REM：0.1％以下のうちから選ばれた１種または２種以上を含有することを特徴とする請求項２ないし４のいずれかに記載の低降伏比圧延形鋼。」と訂正する。
　ｃ．訂正事項３
　　明細書段落［００２４］第１４〜１５行における「mass％で、Cr：３％以下、Mo：１以下、Ｖ：0.3％以下・・・」から「Cr：３％以下、Mo：１以下、」を削除し、「mass％で、Ｖ：0.3％以下・・・」と訂正する。
　ｄ．訂正事項４
　　明細書段落［００２４］第１８〜１９行における「Zr：0.1％以下、Hf：0.1％以下、REM：0.1％以下・・・」から「Hf：0.1％以下、」を削除し、「Zr：0.1％以下、REM：0.1％以下・・・」と訂正する。
　ｅ．訂正事項５
　　明細書段落［００２４］第３３〜３４行における「mass％で、Cr：３％以下、Mo：１％以下、Ｖ：0.3％以下・・・」から「Cr：３％以下、Mo：１％以下、」を削除し、「mass％で、Ｖ：0.3％以下・・・」と訂正する。
　ｆ．訂正事項６
　　明細書段落［００２４］第３７〜３８行における「Zr：0.1％以下、Hf：0.1％以下、REM：0.1％以下・・・」から「Hf：0.1％以下、」を削除し、「Zr：0.1％以下、REM：0.1％以下・・・」と訂正する。
　ｇ．訂正事項７
　　明細書段落［００３１］第３〜４行における「および／またはCr：３%以下、Mo：１％以下、Ｖ：0.3％以下・・・」から「Cr：３%以下、Mo：１％以下、」を削除し、「および／またはＶ：0.3％以下・・・」と訂正する。
　ｈ．訂正事項８
　　明細書段落［００３１］第６行における「Zr：0.1％以下、Hf：0.1％以下、REM：0.1％以下・・・」から「Hf：0.1％以下、」を削除し、「Zr：0.1％以下、REM：0.1％以下・・・」と訂正する。
　ｉ．訂正事項９
　　明細書段落［００３８］第２〜３行における「および／または、Cr：３％以下、Mo：１％以下、Ｖ：0.3％以下・・・」から「Cr：３％以下、Mo：１％以下、」を削除し、「および／または、Cr：３％以下、Mo：１％以下、Ｖ：0.3％以下・・・」と訂正する。
　ｊ．訂正事項１０
　　明細書段落［００３８］における「Zr：0.1％以下、Hf：0.1％以下、REM：0.1％以下・・・」から「Hf：0.1％以下、」を削除し、「Zr：0.1％以下、REM：0.1％以下・・・」と訂正する。
　ｋ．訂正事項１１
　　明細書段落［００４０］第１行における「Cr：３％以下、Mo：１％以下、Ｖ：0.3％以下・・・」から「Cr：３％以下、Mo：１％以下、」を削除し、「Ｖ：0.3％以下・・・」と訂正する。
　ｌ．訂正事項１２
　　明細書段落［００４０］第３行における「Cr、Mo、Ｖ・・・」から「Cr、Mo、」を削除し、「Ｖ・・・」と訂正する。
　ｍ．訂正事項１３
　　明細書段落［００４０］第６〜７行における「なお、Mo、Ｖ・・・」から「Mo、」を削除し、「なお、Ｖ・・・」と訂正する。
　ｎ．訂正事項１４
　　明細書段落［００４０］第８行における「しかし、Crを３％、Moを１％、Ｖを0.3％・・・」から「Crを３％、Moを１％，」を削除し、「しかし、Ｖを0.3％・・・」と訂正する。
　ｏ．訂正事項１５
　　明細書段落［００４１］第1〜２行における「Zr：0.1％以下、Hf：0.1％以下、REM：0.1％以下・・・」から「Hf：0.1％以下、」を削除し、「Zr：0.1％以下、REM：0.1％以下・・・」と訂正する。
　ｐ．訂正事項１６
　　明細書段落［００４１］第３行における「Zr、Hf、REM・・・」から「Hf、」を削除し、「Zr、REM・・・」と訂正する。
　ｑ．訂正事項１７
　　明細書段落［００４１］第６行における「Zr：0.1％以下、Hf：0.1％以下、REM：0.1％以下・・・」から「Hf：0.1％以下、」を削除し、「Zr：0.1％以下、REM：0.1％以下・・・」と訂正する。
　ｒ．訂正事項１８
　　明細書段落［００４１］第７行における「Zr、Hf、REM・・・」から「Hf、」を削除し、「Zr、REM・・・」と訂正する。
　ｓ．訂正事項１９
　　明細書段落［００５３］表２における「鋼No.Ｈ」の行を削除し、訂正明細書のとおりに訂正する。
　ｔ．訂正事項２０
　　明細書段落［００５４］表３における「Ｈ形鋼No.15」の行および「Ｈ形鋼No.16」の行を削除し、訂正明細書のとおりに訂正する。
　ｕ．訂正事項２１
　　明細書段落［００６０］表４における「Ｈ形鋼No.15」の行および「Ｈ形鋼No.16」の行を削除し、訂正明細書のとおりに訂正する。
　
３．当審の判断
（１）訂正事項１について
　訂正事項１は、訂正前の請求項４に記載されていた「mass％で、Cr：３％以下、Mo：１％以下、Ｖ：0.3％以下、Nb：0.1％以下、Ｂ：0.01％以下のうちから選ばれた１種または２種以上」の記載を、「mass％で、Ｖ：0.3％以下、Nb：0.1％以下、Ｂ：0.01％以下のうちから選ばれた１種または２種以上」と訂正し、同項に係る発明である低降伏比圧延Ｈ形鋼につき、これが含有する選択成分のうち、Cr及びMoを削除して、選択成分の種類をより限定するもので、特許請求の範囲の減縮を目的とするものである。
　また、この訂正は、明らかに願書に添付した特許請求の範囲に記載された事項の範囲内のものであり、実質上特許請求の範囲を拡張し又は変更するものではない。
　
（２）訂正事項２について
　訂正事項２は、訂正前の請求項５に記載されていた「mass％で、Ti：0.1％以下、Ca：0.1％以下、Mg：0.1％以下、Zr：0.1％以下、Hf：0.1％以下、REM：0.1％以下のうちから選ばれた１種または２種以上」の記載を、 「mass％で、Ti：0.1％以下、Ca：0.1％以下、Mg：0.1％以下、Zr：0.1％以下、REM：0.1％以下のうちから選ばれた１種または２種以上」と訂正し、同項に係る発明である低降伏比圧延Ｈ形鋼につき、これが含有する選択成分のうち、Hfを削除して、選択成分の種類をより限定するもので、特許請求の範囲の減縮を目的とするものである。
　また、この訂正は、明らかに願書に添付した特許請求の範囲に記載された事項の範囲内のものであり、実質上特許請求の範囲を拡張し又は変更するものではない。
　
（３）訂正事項３〜２１について
　訂正事項３〜２１は、訂正事項１又は訂正事項２と整合を図るべく訂正前明細書の記載を訂正するもので、明りようでない記載の釈明を目的としたものである。
　また、これらの訂正は、明らかに願書に添付した特許請求の範囲に記載された事項の範囲内のものであり、実質上特許請求の範囲を拡張し又は変更するものでもない。
　
（４）小括
　以上のとおりであるから、上記訂正事項１ないし２１からなる本件訂正は、特許法第１２６条第１項第１号に掲げる特許請求の範囲の減縮又は第３号に掲げる明りようでない記載の釈明を目的とするものであって、同条第３項及び第４項の規定に適合するものである。
　また、訂正後における特許請求の範囲に記載されている発明が特許出願の際独立して特許を受けることができないものであるとする理由も発見しないから、本件訂正は、特許法第１２６条第５項の規定に適合するものである。
　
４．むすび
　したがって、本件訂正は、特許法第１２６条第１項ただし書の規定に適合するものであって、同条第３項ないし第５項の規定に適合するものである。
　よって、結論のとおり審決する。